【手続補正書】
【提出日】平成18年1月24日(2006.1.24)
【手続補正１】
【補正対象書類名】特許請求の範囲
【補正対象項目名】全文
【補正方法】変更
【補正の内容】
【特許請求の範囲】
【請求項１】
二つの同一の反対を向いた端面（４０）であって、それらを貫通する第一の軸（Ｒ１）回りに１８０°の回転対称性を有している端面（４０）と、
該二つの反対を向いた端面（４０）間に延在する周囲の側部面（４２）と、そして、
各端面（４０）と該周囲の側部面（４２）との交線で形成される周囲の刃（５０）であって、各周囲の刃（５０）の少なくとも二つの部分で切削刃を構成する周囲の刃（５０）と、
を備えている割り出し可能な切削インサート（３８）であって、
該周囲の側部面（４２）は、
二つの同一の反対を向いた主側部面（４６）であって、それらを貫通し、該第一の軸（Ｒ１）に直交する第二の軸（Ｒ２）回りに１８０°の回転対称性を有している主側部面（４６）と、そして、
二つの同一の反対を向いた副側部面（４４）であって、それらを貫通し、該第一の軸（Ｒ１）および該第二の軸（Ｒ２）に直交する第三の軸（Ｒ３）回りに１８０°の回転対称性を有している副側部面（４４）と、を備え、
主平面（Ｐ２）は該第一の軸（Ｒ１）と該第二の軸（Ｒ２）によって定義され、
副平面（Ｐ１）は該第一の軸（Ｒ１）と該第三の軸（Ｒ３）によって定義され、
中央平面（Ｍ）は該第二の軸（Ｒ２）と該第三の軸（Ｒ３）によって定義され、
各端面（４０）は、二つの低められたコーナー（６０）と二つの高められたコーナー（５８、５８´）である四つのコーナー（５８、５８´、６０）を有し、該低められたコーナー（６０）は該高められたコーナー（５８、５８´）よりも該中央平面（Ｍ）に近接していて、
該副側部面（４４）の一の側面図において、全ての四つのコーナー（５８、５８´、６０）は該副平面（Ｐ１）から等距離のところにあり、
該主側部面（４６）の一の側面図において、全ての四つのコーナー（５８、５８´、６０）は該主平面（Ｐ２）から等距離のところにあることを特徴とする割り出し可能な切削インサート（３８）。
【請求項２】
該切削インサート（３８）は、該主側部面（４６）間の最大寸法Ｄ２よりも長い、該副側部面（４４）間の最大寸法Ｄ１を有することを特徴とする請求項１に記載の割り出し可能な切削インサート（３８）。
【請求項３】
該切削インサート（３８）の端面図において、各主側部面（４６）は凹所に配置されていることを特徴とする請求項２に記載の割り出し可能な切削インサート（３８）。
【請求項４】
端面図において、該反対を向いた主側部面（４６）間の間隔は、切削インサート（３８）の該コーナー付近の最大距離Ｄ２から、主平面（Ｐ２）についての主側部面（４６）との交線間の最小距離ｄ２まで変化することを特徴とする請求項３に記載の割り出し可能な切削インサート（３８）。
【請求項５】
該最小距離ｄ２は、ｄ２＝Ｄ２−ｔによって与えられ、該値ｔは０．３ｍｍ≦ｔ≦０．４ｍｍによって与えられることを特徴とする請求項４に記載の割り出し可能な切削インサート（３８）。
【請求項６】
該切削インサート（３８）の端面図において、各副側部面（４４）は凹所に配置されていることを特徴とする請求項２に記載の割り出し可能な切削インサート（３８）。
【請求項７】
端面図において、該反対を向いた副側部面（４４）間の間隔は、切削インサート（３８）の該コーナー付近の最大距離Ｄ１から、該副平面（Ｐ１）についての副側部面（４４）との交線間の最小距離ｄ１まで変化することを特徴とする請求項６に記載の割り出し可能な切削インサート（３８）。
【請求項８】
該最小距離ｄ１は、ｄ１＝Ｄ１−ｓによって与えられ、該値ｓは０．０５ｍｍ≦ｓ≦０．２５ｍｍによって与えられることを特徴とする請求項７に記載の割り出し可能な切削インサート（３８）。
【請求項９】
各副側部面（４４）はコーナー側部面（４８）で、隣接した主側部面（４６）と合流し、各コーナー側部面（４８）は、該二つの反対を向いた端面（４０）の内の一方の所与の高められたコーナー（５８、５８´）と、該二つの反対を向いた端面（４０）の内の他方の所与の低められたコーナー（６０）との間に延在することを特徴とする請求項１に記載の割り出し可能な切削インサート（３８）。
【請求項１０】
各切削刃は、主刃（５２、５２´）と、副刃（５４、５４´）と、そしてそれらの間のコーナー刃（５６、５６´）とを備えていることを特徴とする請求項９に記載の割り出し可能な切削インサート（３８）。
【請求項１１】
各主刃（５２、５２´）、コーナー刃（５６、５６´）、又は副刃（５４、５４´）は、隣接した端面（４０）と、それぞれ隣接した主側部面（４６）、コーナー側部面（４８）、又は副側部面（４４）との交線に形成されることを特徴とする請求項１０に記載の割り出し可能な切削インサート（３８）。
【請求項１２】
該主刃（５２、５２´）は、端面図において、凹所に配置されていることを特徴とする請求項１１に記載の割り出し可能な切削インサート（３８）。
【請求項１３】
該反対を向いた主刃（５２、５２´）間の間隔は、該コーナー刃（５６、５６´）付近の最大距離Ｄ２から、該主平面（Ｐ２）についての該主刃（５２、５２´）との交点間の最小距離ｄ２まで変化することを特徴とする請求項４又は１２に記載の割り出し可能な切削インサート（３８）。
【請求項１４】
該副刃（５４、５４´）は、端面図において、凹所に配置されていることを特徴とする請求項１１に記載の割り出し可能な切削インサート（３８）。
【請求項１５】
該反対を向いた副刃（５４、５４´）間の間隔は、該コーナー刃（５６、５６´）付近の最大距離Ｄ１から、該副平面（Ｐ１）についての該副刃（５４、５４´）との交線間の最小距離ｄ１まで変化することを特徴とする請求項７又は１４に記載の割り出し可能な切削インサート（３８）。
【請求項１６】
各高められたコーナー（５８、５８´）は、コーナー切削刃（５６、５６´）を形成し、隣接した主刃又は副刃（５２、５２´、５４、５４´）は、それぞれ主切削刃又は副切削刃（６６、６８）を形成することを特徴とする請求項１１に記載の割り出し可能な切削インサート（３８）。
【請求項１７】
該主切削刃（６６）は、該寸法Ｄ１の半分よりも長い長さＬ１を有することを特徴とする請求項１６に記載の割り出し可能な切削インサート（３８）。
【請求項１８】
該副切削刃（６８）は、該寸法Ｄ２のほぼ半分である長さＬ２を有することを特徴とする請求項１７に記載の割り出し可能な切削インサート（３８）。
【請求項１９】
該切削インサート（３８）は、さらに、該主側部面（４６）間に延在し、且つ該第二の軸（Ｒ２）と一致する穴軸を有するインサート貫通穴（８６）を備えることを特徴とする請求項１に記載の割り出し可能な切削インサート（３８）。
【請求項２０】
請求項１９に記載の該切削インサート（３８）と、
シム（９０）と、
そして、該シム（９０）と、該切削インサート（３８）がしっかりと保持されるインサートポケット（８４）を有するインサートホルダー（７２）とを備えた切削工具（７０）であって、
該インサートポケット（８４）は、ベース面（９８）であって、該切削インサート（３８）の所与の主側部面（４６）によって当接されるベース面（９８）と、該ベース面（９８）から直立に延在する第一側部壁（９４）であって、該切削インサート（３８）の所与の副側部面（４４）によって当接される該第一側部壁（９４）と、そして、該ベース面（９８）と、該主側部面（４６）に隣接する該第一側部壁（９４）とから直立に延在し、なおそれらを横切る第二側部壁（９６）とを備え、
該シム（９０）は、該切削インサート（３８）の作動しない端面（４０）によって当接される頂面（１００）と、該第一側部壁（９４）に当接する反対を向いた底面（１０２）と、そしてそれらの間に延在している周囲面（１０４）と、を備え、
シムねじ（９２）であって、シム貫通穴（１０８）を貫通して伸び、該第二側部壁（９６）のねじ切った第二穴（１１０）と螺合して、該インサートポケット（８４）に該シム（９０）を固定する該シムねじ（９２）と、そして、
固定ねじ（８８）であって、インサート貫通穴（８６）を貫通して伸び、該ベース面（９８）のねじ切った受取穴（１１２）に螺合して、該インサートポケット（８４）に該切削インサート（３８）を固定する該固定ねじ（８８）と、
を備えることを特徴とする切削工具（７０）。
【請求項２１】
該切削インサート（３８）の各端面（４０）は、該主平面（Ｐ２）のいずれかの側部に位置付けられている中央平面（Ｍ）から離れて延在する二つの柱筒（８２）をさらに備え、本発明に従って、該シム（９０）の該頂面（１００）は、該シム（９０）の該頂面（１００）から突出する該シム（９０）の該頂面（１００）の一部分である高められた領域（１０６）をさらに備え、
該作動しない端面（４０）の該二つの柱筒（８２）は、該シム（９０）の該頂面（１００）の該高められた領域（１０６）に当接することを特徴とする請求項１８に記載の切削工具（７０）。
【手続補正２】
【補正対象書類名】明細書
【補正対象項目名】００１１
【補正方法】変更
【補正の内容】
【００１１】
本発明に従って、旋削加工のための切削工具に使用するための、割り出し可能な切削インサートが提供され、この切削インサートは、二つの同一の反対を向いた端面であって、それらを貫通する第一の軸（Ｒ１）回りに１８０°の回転対称性を有している端面と、該二つの反対を向いた端面間に延在する周囲の側部面と、そして、各端面と該周囲の側部面との交線で形成される周囲の刃であって、各周囲の刃の少なくとも二つの部分で切削刃を構成する周囲の刃と、を備えている割り出し可能な切削インサートであって、該周囲の側部面は、二つの同一の反対を向いた主側部面であって、それらを貫通し、該第一の軸（Ｒ１）に直交する第二の軸（Ｒ２）回りに１８０°の回転対称性を有している主側部面と、そして、二つの同一の反対を向いた副側部面であって、それらを貫通し、該第一の軸（Ｒ１）および該第二の軸（Ｒ２）に直交する第三の軸（Ｒ３）回りに１８０°の回転対称性を有している副側部面と、を備え、主平面（Ｐ２）は該第一の軸（Ｒ１）と該第二の軸（Ｒ２）によって定義され、副平面（Ｐ１）は該第一の軸（Ｒ１）と該第三の軸（Ｒ３）によって定義され、中央平面（Ｍ）は該第二の軸（Ｒ２）と該第三の軸（Ｒ３）によって定義され、各端面は、二つの低められたコーナーと二つの高められたコーナーである四つのコーナーを有し、該低められたコーナーは該高められたコーナーよりも該中央平面（Ｍ）に近接していて、該副側部面の一の側面図において、全ての四つのコーナーは該副平面（Ｐ１）から等距離のところにあり、該主側部面の一の側面図において、全ての四つのコーナーは該主平面（Ｐ２）から等距離のところにあることを特徴とする。
【手続補正３】
【補正対象書類名】明細書
【補正対象項目名】００２０
【補正方法】変更
【補正の内容】
【００２０】
本発明の好ましい実施形態に従って、各切削刃は、主刃と、副刃と、そしてそれらの間のコーナー刃とを備えている。
【手続補正４】
【補正対象書類名】明細書
【補正対象項目名】００２９
【補正方法】変更
【補正の内容】
【００２９】
本発明の好ましい実施形態に従って、該切削インサートは、さらに、該主側部面間に延在し、且つ該第二の軸（Ｒ２）と一致する穴軸を有するインサート貫通穴を備える。